(57)【要約】【課題】記録紙の残枚数を正確に検知するセンサおよび機構等を用いなくとも、トナーが無駄に消費されるのを防止するとともにクリーニング装置の寿命を向上させること。【解決手段】エンジンコントローラ２０２は、次の印字予約コマンド受信している場合は、画像形成実行フロー（Ｓ４００）を開始し、給紙部の記録紙有無を確認する（Ｓ４０２）。記録紙がある場合は画像形成を開始し（Ｓ４０３）、待機時間または画像形成待機時間である画像形成スループットを算出し（Ｓ４０４、Ｓ４０５）、算出した結果に基づいて時間の経過を待つ（Ｓ４０１）。【選択図】図４
2007249040.tif 000002
【特許請求の範囲】
【請求項１】
画像を形成する記録材を供給する記録材供給手段と、
前記記録材供給手段内に前記記録材の有無を検知する記録材検知手段と、
前記記録材に転写する画像を表面に形成する転写体と、該転写体上に転写する前記画像を現像する現像手段と、該転写体の表面に形成された像を前記記録材に転写する転写手段とを含み、連続して画像形成を行う場合、前記記録材検知手段によって前記記録材の有無を検知する前に前記転写体上への画像形成を開始する画像形成手段と、
前記記録材に印字される画像情報に基づいて、前記転写体上への画像形成タイミングを制御する制御手段と
を備えたことを特徴とする画像形成装置。
【請求項２】
前記画像形成タイミングとは、前記転写体上に画像を形成する場合の待機時間のことであり、前記制御手段は、２つ以上の前記待機時間から１つの待機時間を選択して当該選択された待機時間経過後に画像を形成するように制御することを特徴とする請求項１に記載の画像形成装置。
【請求項３】
前記制御手段は、形成しようとする画像の画像密度情報を取得して、当該取得した画像密度情報が予め定めた画像密度閾値以上であるか否かにより前記１種類の待機時間を選択することを特徴とする請求項２に記載の画像形成装置。
【請求項４】
前記制御手段は、形成しようとする画像の後にさらに連続して画像形成の予約を受けている場合、当該受けている予約数が予め定めた予約数閾値以上であるか否かにより前記１種類の待機時間を選択することを特徴とする請求項３に記載の画像形成装置。
【請求項５】
前記２つ以上の待機時間とは、最も高速に画像形成した場合の画像形成に要する時間である最大スループット、および前記記録材検知手段が記録材が搬入されたことを検知してから画像形成を行った場合の画像形成に要する時間である最小スループットを含むことを特徴とする請求項２、３または４に記載の画像形成装置。
【請求項６】
前記制御手段は、前記取得した画像密度情報が予め定めた画像密度閾値未満のときは、前記待機時間として最も高速に画像形成した場合の画像形成に要する時間である最大スループットを選択することを特徴とする請求項４に記載の画像形成装置。
【請求項７】
前記転写体に形成され、転写されずに残った像を除去する除去手段をさらに備え、
前記待機時間として最大スループットが選択された場合、前記記録材検知手段が前記記録材の有無を検知する前に前記画像形成手段が画像の形成を開始していたときは、前記画像形成手段は画像の形成を停止し、前記除去手段は既に形成された像を除去することを特徴とする請求項５に記載の画像形成装置。
【請求項８】
前記制御手段は、前記取得した画像密度情報が予め定めた画像密度閾値以上であって、前記受けている予約数が前記予約数閾値未満のときは、前記待機時間として、前記記録材検知手段が記録材が搬入されたことを検知してから画像形成を行った場合の画像形成に要する時間である最小スループットを選択することを特徴とする請求項４に記載の画像形成装置。
【発明の詳細な説明】
【技術分野】
【０００１】
本発明は、画像形成装装置に関し、より詳細には、効率的な画像形成を可能にする画像形成装置に関する。
【背景技術】
【０００２】
複写機・レーザプリンタ等の画像形成装置は、一般に給紙部から画像形成部に記録紙を給紙搬送して転写方式（間接方式）あるいは直接方式にて画像形成を実行し、画像形成済みの記録紙を排紙部から排出する。直接方式にて画像形成を実行する画像形成装置においては、給紙搬送された記録紙に対して直接現像を施して画像形成を実行するため、記録紙がなくなることを検知するまで効率よく印字することができる。一方、間接方式にて画像形成を実行する画像形成装置において効率のよい印字を行うためには、複数の画像を連続して形成する必要があるが、給紙部は記録紙を一枚ずつ給紙するので、画像形成部と給紙部との同期をとって動作しなければならなくなる。したがって、画像形成途中で、転写するはずの記録紙がなくなったことが検知されると、途中まで画像形成して記録紙に転写できなかった画像はクリーニング装置で回収する必要がある。
【０００３】
このような画像形成装置では、記録紙がないことを検知すると、余分なトナーが消費され、さらにクリーニング装置でのトナー回収量が増大して、クリーニング装置の寿命が低下するので一定の制御が必要となる。例えば、記録紙の残り枚数が少なくなったことを検知する機構を設け、それにより記録紙の残枚数が少ないことを検知した場合は、記録紙が確実にあることを検出してから画像形成を実行するように画像形成装置を制御する。すなわち、残枚数が少なくなったときだけ、画像形成のスループットを低下させることにより全体としては性能を落とすことなく効率的な印字が可能な技術が提案されている（例えば、参考文献１参照）。
【０００４】
【特許文献１】特開２００１−３３７５７５号公報
【発明の開示】
【発明が解決しようとする課題】
【０００５】
しかしながら、上記従来技術では、記録紙の残枚数を正確に検知するために、記録紙を給紙可能な位置まで持ち上げる機構、および記録紙を持ち上げた高さを計測するセンサが用いられており、装置の大型化およびコストの増大を招くという問題がある。
【０００６】
本発明は上記の課題に鑑みてなされたものであり、記録紙の残枚数を正確に検知するセンサおよび機構等を用いなくとも、トナーが無駄に消費されるのを防止するとともにクリーニング装置の寿命を向上させる画像形成装置を提供することを目的とする。
【課題を解決するための手段】
【０００７】
このような目的を達成するため、本発明の画像形成装置は、画像を形成する記録材を供給する記録材供給手段と、記録材供給手段内に記録材の有無を検知する記録材検知手段と、記録材に転写する画像を表面に形成する転写体と、転写体上に転写する画像を現像する現像手段と、転写体の表面に形成された像を記録材に転写する転写手段とを含み、連続して画像形成を行う場合、記録材検知手段によって記録材の有無を検知する前に転写体上への画像形成を開始する画像形成手段と、記録材に印字される画像情報に基づいて、転写体上への画像形成タイミングを制御する制御手段とを備えたことを特徴とする。
【発明の効果】
【０００８】
本発明により、記録紙の残枚数を正確に検知するセンサおよび機構等を用いなくとも、トナーが無駄に消費されるのを防止するとともにクリーニング装置の寿命を向上させることができる画像形成装置を提供することができる。
【発明を実施するための最良の形態】
【０００９】
本実施形態においては画像形成装置として多色画像を形成することができるレーザプリンタを例に用いる。  
（第１実施形態）
図１は、本発明の一実施形態に係る画像形成装置の構成図である。画像形成部において、図示しないコントローラ部から送信された画像信号に基づいて形成される画像光により静電潜像が形成され、この静電潜像を現像して可視画像を重畳転写してカラー可視画像が形成される。このカラー可視画像は記録材４１、４２へ転写され、その記録材４１、または４２上にカラー可視画像を定着させる。画像形成部は、現像色分並置したステーション毎の感光体（５Ｙ、５Ｍ、５Ｃ、５Ｋ）、一次帯電手段としての注入帯電部（７Ｙ、７Ｍ、７Ｃ、７Ｋ）、および現像部（８Ｙ、８Ｍ、８Ｃ、８Ｋ）によって構成される。さらに、画像形成部は、トナーカートリッジ（１１Ｙ、１１Ｍ、１１Ｃ、１１Ｋ）、中間転写体１２、給紙部３１、３２、転写部および定着部１１によって構成される。給紙部３１、３２には各々記録材が収容されており、その記録材の有無を検知するためのセンサ５１、５２が設けられている。本実施形態では、センサ５１、５２として、フォトインタラプタとフラグを用いたセンサを用いている。
【００１０】
感光体（５Ｙ、５Ｍ、５Ｃ、５Ｋ）、一次帯電手段としての注入帯電部（７Ｙ、７Ｍ、７Ｃ、７Ｋ）、および現像手段（８Ｙ、８Ｍ、８Ｃ、８Ｋ）は、画像形成装置本体に着脱可能なプロセスカートリッジ（２２Y、２２Ｍ、２２Ｃ、２２Ｋ）に搭載されている。上記感光ドラム（感光体）５Ｙ、５Ｍ、５Ｃ、５Ｋは、アルミシリンダの外周に有機光導伝層を塗布して構成し、図示しない駆動モータの駆動力が伝達されて回転するものである。駆動モータは感光ドラム５Ｙ、５Ｍ、５Ｃ、５Ｋを画像形成動作に応じて反時計周り方向に回転させる。感光ドラム５Ｙ、５Ｍ、５Ｃ、５Ｋへの露光光はスキャナ部１０Ｙ、１０Ｍ、１０Ｃ、１０Ｋから送られ、感光ドラム５Ｙ、５Ｍ、５Ｃ、５Ｋの表面に選択的に露光することにより、静電潜像が形成されるように構成されている。ステーション毎にイエロー（Ｙ）、マゼンダ（Ｍ）、シアン（Ｃ）、ブラック（Ｋ）の感光体を帯電させるための４個の注入帯電部７Ｙ、７Ｍ、７Ｃ、７Ｋを備える構成において、各注入帯電部にはスリーブ７ＹＳ、７ＭＳ、７ＣＳ、７ＫＳが備えられている。
【００１１】
現像手段として、現像部８Ｙ、８Ｍ、８Ｃ、８Ｋには、それぞれスリーブ８ＹＳ、８ＭＳ、８ＣＳ、８ＣＫが設けられている。各々の現像器は脱着可能に取り付けられている。中間転写体１２は、感光ドラム５Ｙ、５Ｍ、５Ｃ、５Ｋに接触しており、カラー画像形成時に時計周り方向に回転し、感光ドラム５Ｙ、５Ｍ、５Ｃ、５Ｋの回転に伴って回転し、可視画像が転写される。また、中間転写体１２は、画像形成時に後述する転写ローラ９が９ａの位置に配置されることにより転写ローラ９と接触して記録材４１、４２を狭持搬送することにより記録材４１、４２に中間転写体１２上にカラー可視画像を重畳転写する。転写ローラ９は、中間転写体１２上にカラー可視画像を重畳転写している間は、中間転写体に９ａの位置で当接させるが、印字処理終了時は９ｂの位置に離開する。
【００１２】
定着部１３は、記録材４１、４２を搬送させながら、転写されたカラー可視画像を定着させるものであり、記録材４１、４２を加熱する定着ローラ１４と、記録材４１、４２を定着ローラ１４に圧接させるための加圧ローラ１５とを備えている。定着ローラ１４と加圧ローラ１５とは中空状に形成され、内部にそれぞれヒータ１６、１７が内蔵されている。すなわち、カラー可視画像を保持した記録材４１、４２は、定着ローラ１４と加圧ローラ１５とにより搬送されるとともに、熱および圧力が加えられることによりトナーが表面に定着される。可視画像定着後の記録材４１、４２は、排紙部に排出されて画像形成動作を終了する。
【００１３】
プリンタは、記録材搬送路上の下段搬送センサＡ ２３、上段搬送センサＡ ２４、下段搬送センサＢ ２５、上段搬送センサＢ ２６、レジストセンサ１９、定着前センサ２７、定着排紙センサ２０および排紙センサ２８によって搬送状況を管理する。除去手段であるクリーニング部２１は、感光ドラム５Ｙ、５Ｍ、５Ｃ、５Ｋ及び中間転写体１２上に残ったトナーをクリーニングするものである。感光ドラム５Ｙ、５Ｍ、５Ｃ、５Ｋ上に形成されたトナーによる可視画像を中間転写体１２に転写した後の廃トナーあるいは中間転写体９上に形成された４色のカラー可視画像を記録材４１、４２に転写した後の廃トナーは、クリーナ容器に蓄えられる。
【００１４】
図２は、本発明の一実施形態に係る画像形成装置としてのシステム構成を説明するためのブロック図である。プリンタコントローラ２０１は、ホストコンピュータ２００、エンジンコントローラ２０２と相互に通信が可能である。プリンタコントローラ２０１は、ホストコンピュータ２００から画像情報と印字命令を受け取り、受け取った画像情報を解析してビットデータおよび記録紙に占める画素の密度情報（ピクセルデータ）に変換する。この密度情報は、通信経路を介して、記録紙毎に印字予約コマンド、ピクセルデータ通知コマンド、印字開始コマンド、およびビデオ信号とともにエンジンコントローラ２０２に送出される。
【００１５】
プリンタコントローラ２０１は、ホストコンピュータ２００からの印字命令に従って印字予約コマンドおよびピクセルデータ通知コマンドをエンジンコントローラ２０２に送信する。コマンドが送信されると、印字可能な状態となったタイミングで、エンジンコントローラ２０２へ印字開始コマンドが送信される。エンジンコントローラ２０２は、プリンタコントローラ２０１からの印字予約コマンドの順に印字の実行準備を行い、プリンタコントローラ２０１からの印字開始コマンドを待つ。エンジンコントローラ２０２は、印字指示を受信すると、ビデオ信号の出力の基準タイミングとなる／ＴＯＰ信号をプリンタコントローラ２０１に出力し、印字予約コマンドに従って印字動作を開始する。また、エンジンコントローラ２０２は、印字予約コマンドに従って形成された画像を記録紙に転写するため、レジストローラで待機している記録紙の搬送を再開すると同時に／ＴＯＰＲ信号を出力し、画像を記録紙に転写する。さらに、定着部にて画像を記録紙に定着させ、排紙部に排紙する。
【００１６】
図３〜５は、エンジンコントローラ２０２の印字動作を示すフローチャートである。エンジンコントローラ２０２は、印字予約コマンドを受信すると（Ｓ３０１）、印字開始コマンドの受信を待って（Ｓ３０２）、印字動作を行うための前処理（以後、「前回転シーケンス」という）を実行する(Ｓ３０３)。前回転シーケンス終了後、記録紙の給紙時間間隔および画像形成の時間間隔を初期化し（Ｓ３０４、Ｓ３０５）、１枚目の印字予約コマンドに従って印字動作を開始する（Ｓ３０７、Ｓ３０８）。エンジンコントローラ２０２は、記録紙が排出されたことを確認すると（Ｓ３０８）、印字予約を削除し（Ｓ３０９）、次の印字予約コマンド受信を確認する（Ｓ３１０）。印字予約コマンドを受信していない場合は印字動作の後処理（以下、「後回転シーケンス」という）を実行し（Ｓ３１１）、印字動作を終了する（Ｓ３１２）。一方、エンジンコントローラ２０２は、次の印字予約コマンド受信している場合は、画像形成実行フロー（Ｓ４００）を開始し、給紙部の記録紙有無を確認する（Ｓ４０２）。記録紙がある場合は画像形成を開始し（Ｓ４０３）、待機時間または画像形成待機時間である画像形成スループットを算出し（Ｓ４０４、Ｓ４０５）、算出した結果に基づいて時間の経過を待つ（Ｓ４０１）。
【００１７】
また、エンジンコントローラ２０２は、次の印字予約コマンド受信している場合は、給紙実行フロー（Ｓ５００）を開始し、給紙部に設けられている記録紙有無センサ（不図示）によって記録紙有無を確認する（Ｓ５０２）。記録紙がある場合は給紙を開始し（Ｓ５０３）、画像形成スループットを算出し（Ｓ５０４）、算出した結果に基づいて時間の経過を待つ（Ｓ５０１）。なお、画像形成のスループットとは中間転写体上での画像形成の間隔に対応する時間であり、図６のフローチャートに基づいて決定される。
【００１８】
図６は、上述した画像形成のスループット決定処理の詳細なフローチャートである。エンジンコントローラ２０２はスループット決定処理（Ｓ６００）を実行すると、ピクセルデータ通知コマンドで受信したプリント画像密度情報とエンジンコントローラ２０２が持つプリント画像密度閾値Ｘを比較する（Ｓ６０１）。プリント画像密度が閾値Ｘを超えない場合は、スループットレベル１（最大スループット）を設定し（Ｓ６０２）、スループットレベル１に基づいて画像形成までの時間を算出する（Ｓ６０７）。一方、プリント画像密度閾値Ｘの比較において（Ｓ６０１）、プリント画像密度が閾値Ｘ以上の場合、残りの予約数を算出し（Ｓ６０３）、残りの予約数と予約数閾値Ｙとを比較する（Ｓ６０４）。残りの予約数が予約数閾値Ｙ以上の場合は、スループットレベル１を設定し（Ｓ６０２）、スループットレベル１に基づいて画像形成までの時間を算出する（Ｓ６０７）。また、残りの予約数が予約閾値Ｙ未満の場合は、スループットレベル２（最小スループット）を設定し（Ｓ６０６）、スループットレベル２に基づいて画像形成までの時間を算出する（Ｓ６０７）。なお、本実施形態においては、上述の最大スループットとは画像形成装置が実現可能な最も高速なプリント動作を行った場合に印字に要する時間を指す。また、最小スループットとは給紙カセット内に記録紙が存在することを確認してから画像形成を開始する場合に要する時間のことである。本実施形態では、プリント画像密度の閾値Ｘは、具体的に文字主体の文書の平均的な画像密度とされる５％とする。また、予約数閾値Ｙは、中間転写体に形成可能な画像数と記録紙の給紙間隔から１とするものの、これらの閾値は中間転写体の寸法や給紙間隔などに合わせて変えることができる。
【００１９】
図７は、予約数２枚以上の印字指定、およびプリント画像密度Ｘ以上の印字をする場合で、給紙部３１から給紙中に２枚目の記録紙がないことが検知されたときのタイミングチャートを示している。図７（ａ）および（ｂ）の横軸は時間、縦軸は用紙搬送距離を表している。図７（ａ）は給紙から用紙なし検知までを表すタイミングチャートであり、時刻０で給紙を開始し、レジストセンサ到達直後に搬送を一時停止し、／ＴＯＰＲ信号送出後に記録紙の搬送を再開して記録紙なしを検知している。図のレジストセンサ位置は用紙がレジストセンサまでの用紙搬送距離、用紙有無検知位置は給紙部３１で用紙有無の検知を行うタイミングでの用紙搬送距離を意味している。
【００２０】
一方、図７（ｂ）は画像形成開始信号（／ＴＯＰ）から画像と記録紙の同期を取る信号（／ＴＯＰＲ）までを表すタイミングチャートである。この図７（ｂ）では縦軸は信号を出力するタイミングとなる。ここで、時間０で画像形成を開始するとともに、次に形成する画像のスループットレベル２が設定されるので、給紙部３１の記録紙なしが確定するまで画像形成を開始しない。
【００２１】
図８は、予約数２枚以上であり、およびプリント画像密度Ｘを超えない場合、給紙部３１から給紙中に２枚目の記録紙がないことを検知したときのタイミングチャートを示している。図８（ａ）では、時刻０で給紙を開始し、レジストセンサ到達直後に搬送を一時停止し、／ＴＯＰＲ信号送出後に記録紙の搬送を再開して記録紙なしを検知している。図のレジストセンサ位置は用紙がレジストセンサまでの用紙搬送距離、用紙有無検知位置は給紙部３１で用紙有無の検知を行うタイミングでの用紙搬送距離を意味している。
【００２２】
一方、図８（ｂ）では、時間０で画像形成を開始するとともに、次に形成する画像のスループットレベル１が設定されるので最大スループット分だけ待機された後２枚目の画像形成を開始する。この場合、記録紙なし検知時点で２枚目記録紙に対する画像形成はすでに開始しているため、中間転写体のクリーニング実行を決定する。この図８（ｂ）でも縦軸は信号を出力するタイミングとなる。また、クリーニング処理は、転写ローラ９を９ｂの位置に配置させて、中間転写体を回転駆動させてクリーニング部２１によって中間転写体上のトナーをクリーニングする動作である。
【００２３】
以上のように、本実施形態においては、プリント画像密度が閾値Ｘを超えず、あるいはプリント画像密度が閾値Ｘ以上であって残り予約数が予約数閾値Ｙ以上であれば、記録紙がないためクリーニングを行う必要が生じた場合がある。しかし、この場合でも中間転写体のクリーニング実行時のトナー回収量は軽微であり、かつ最大スループットを実現できる。一方、プリント画像密度が閾値Ｘ以上で、かつ残り予約数が予約数閾値Ｙ未満であれば、プリント中に記録紙なしを検知することを最優先に考え、最小スループットになるものの、中間転写体に未転写の画像を残留させないようにすることができる。
【００２４】
（第２実施形態）
本実施形態では、プリンタコントローラ２０１から給紙部３１あるいは３２から記録紙を搬送するように印字予約がなされた場合の、スループット決定処理について述べる。なお、第１実施形態で既に説明したのと同様の内容については詳細な説明を省略し、図表も同一の番号を付すものとする。
【００２５】
図９は、本実施形態における画像形成のスループット決定処理の詳細を示すフローチャートである。エンジンコントローラ２０２はスループット決定処理（Ｓ７００）を実行すると、ピクセルデータ通知コマンドで受信したプリント画像密度情報およびエンジンコントローラ２０２が持つプリント画像密度閾値Ｘを比較する（Ｓ７０１）。プリント画像密度が閾値Ｘを超えない場合は、スループットレベル１（最大スループット）を設定し（Ｓ７０２）、スループットレベル１に基づいて画像形成までの時間を算出して（Ｓ７０３）終了する（Ｓ７０８）。一方、プリント画像密度閾値Ｘの比較において（Ｓ７０１）プリント画像密度が閾値Ｘ以上の場合、プリンタコントローラ２０１から指示された給紙部の記録紙なし検知タイミングが先行紙の／ＴＯＰＲ以降に判明するかを判定する（Ｓ７０４）。／ＴＯＰＲ以降に判明しないときは、スループットレベル１を設定し（Ｓ７０２）、スループットレベル１に基づいて画像形成までの時間を算出する（Ｓ７０３）。
【００２６】
また、先行する記録紙が存在するか否かが／ＴＯＰＲ以降に判明するかどうかの判定において（Ｓ７０４）、／ＴＯＰＲ以降に判明する場合は、残りの予約数を算出し（Ｓ７０５）、残りの予約数と予約数閾値Ｙとを比較する（Ｓ７０６）。残りの予約数が予約数閾値Ｙ以上の場合は、スループットレベル１を設定し（Ｓ７０７）、スループットレベル１に基づいて画像形成までの時間を算出する（Ｓ７０３）。残りの予約数が予約閾値Ｙ以下の場合は、スループットレベル２（最小スループット）を設定し（Ｓ７０７）、スループットレベル２に基づいて画像形成までの時間を算出する（Ｓ７０３）。
【００２７】
図１０は、給紙部３１から２枚以上の印字指定がなされており、および送られた画像データがプリント画像密度Ｘ以上であり、給紙部３１から給紙中に２枚目の記録紙がないことを検知した場合のタイミングチャートを示している。図１０（ａ）では、時刻０で給紙を開始し、レジストセンサ到達直後に搬送を一時停止し、／ＴＯＰＲ信号送出後に記録紙の搬送を再開して記録紙なしを検知している。一方、図１０（ｂ）では、時間０で画像形成を開始するとともに給紙部３１から給紙される場合、／ＴＯＰＲ送出後に記録紙なしが確定する。このため、画像形成スループットレベル２に設定されており、給紙部３１の記録紙なしが確定するまで画像形成を開始しない。
【００２８】
図１１は、給紙部３２から２枚以上の印字指定がなされており、および送られた画像データがプリント画像密度Ｘ以上であり、給紙部３２から給紙中に２枚目の記録紙がないことを検知した場合のタイミングチャートを示している。図１１（ａ）では、時刻０で給紙を開始し、記録紙なしを検知し、レジストセンサ到達直後に搬送を一時停止し、／ＴＯＰＲ信号送出後に記録紙の搬送を再開している。一方、図１１（ｂ）では、時間０で画像形成を開始するとともに、次の画像形成スループットレベル１が設定されているが、画像形成を行う前に記録紙なしが確定しているため、画像形成は行わない結果、中間転写体に未転写の画像は残らない。
【００２９】
以上のように、本実施形態においては、プリンタコントローラ２０１から指定された給紙部によっては、画像形成開始タイミングよりも前に記録紙なしが判明する場合がある。その場合はプリント画像密度が閾値Ｘ以上であってもスループットを優先する設定とする。一方、プリント画像密度が閾値Ｘ以上、かつ画像形成開始タイミングよりも後に記録紙なしが判明する場合は、第１の実施形態どおり、プリント画像密度が閾値Ｘ未満の場合最大スループットとする。またはプリント画像密度が閾値Ｘ以上でも残り予約数閾値Ｙ以上であれば最大スループットとすることにより、記録紙がなくなりクリーニングを行う必要が生じた場合でも、中間転写体のクリーニング実行時のトナー回収量は軽微とすることができる。一方、プリント画像密度が閾値Ｘ以上で、かつ残り予約数が予約数閾値Ｙ未満であれば、プリント中に記録紙なしを検知することを最優先に最小スループットを設定するが、中間転写体に未転写の画像を残留させないようにすることができる。
【図面の簡単な説明】
【００３０】
【図１】本発明の一実施形態に係る画像形成装置の構成図である。
【図２】本発明の一実施形態に係る画像形成装置としてのシステム構成を説明するためのブロック図である。
【図３】本発明の一実施形態のエンジンコントローラの印字動作を示すフローチャートである。
【図４】本発明の一実施形態のエンジンコントローラの印字動作を示すフローチャートである。
【図５】本発明の一実施形態のエンジンコントローラの印字動作を示すフローチャートである。
【図６】本発明の一実施形態の画像形成のスループット決定処理の詳細なフローチャートである。
【図７】本発明の一実施形態の予約数２枚以上の印字指定、およびプリント画像密度Ｘ以上の印字をする場合で、給紙部から給紙中に２枚目の記録紙がないことが検知されたときのタイミングチャートを示す図である。
【図８】本発明の一実施形態の予約数２枚以上であり、およびプリント画像密度Ｘを超えない場合、給紙部から給紙中に２枚目の記録紙がないことを検知したときのタイミングチャートを示す図である。
【図９】本実施形態における画像形成のスループット決定処理の詳細を示すフローチャートである。
【図１０】本発明の一実施形態の給紙部から２枚以上の印字指定がなされており、および送られた画像データがプリント画像密度Ｘ以上であり、給紙部から給紙中に２枚目の記録紙がないことを検知した場合のタイミングチャートを示す図である。
【図１１】本発明の一実施形態の給紙部から２枚以上の印字指定がなされており、および送られた画像データがプリント画像密度Ｘ以上であり、給紙部から給紙中に２枚目の記録紙がないことを検知した場合のタイミングチャートを示す図である。
【符号の説明】
【００３１】
５  感光体
７  帯電部
８  現像部
９  転写ローラ
１０  スキャナ部
１２  中間転写体
１１  定着部
１９  レジセンサ
２０  定着排紙センサ
２８  排紙センサ
３１、３２  給紙部
４１、４２  記録材
２００  ホストコンピュータ
２０１  プリンタコントローラ
２０２  エンジンコントローラ
【図１】
2007249040.tif 000003
【図２】
2007249040.tif 000004
【図３】
2007249040.tif 000005
【図４】
2007249040.tif 000006
【図５】
2007249040.tif 000007
【図６】
2007249040.tif 000008
【図７】
2007249040.tif 000009
【図８】
2007249040.tif 000010
【図９】
2007249040.tif 000011
【図１０】
2007249040.tif 000012
【図１１】
2007249040.tif 000013